(57)【要約】【課題】安定した状態で容易に腕時計の文字盤を見ることができ、且つ、手及び手首にフィット感を出せる使用性に優れた新規な手袋の提供を目的とする。【解決手段】柔軟性を有する手袋の甲側における手首の部位に、外周に硬質の枠部材を形成すると共に該枠部材に腕時計の文字盤を露呈させる窓部を設け、該窓部を軟質の凸形状の透明な覆い部材で閉塞する。枠部材の片側または両側には伸縮性の部材を設けて手首の長さ方向に対して直交する方向に拡張可能とし、覆い部材の前記時計の文字盤の外周縁との当接部位には、突出リブを形成し、該時計の文字盤の外周縁が前記突出リブで位置決めされる。【選択図】図１
2004044053.tif 000002
【特許請求の範囲】
【請求項１】
柔軟性を有する手袋の甲側における手首の部位に、外周に硬質の枠部材を形成すると共に該枠部材に腕時計の文字盤を露呈させる窓部を設け、該窓部を軟質の凸形状の透明な覆い部材で閉塞したことを特徴とする手袋。
【請求項２】
柔軟性を有する手袋の甲側における手首の部位に、外周に硬質の枠部材を形成すると共に該枠部材に腕時計の文字盤を露呈させる窓部を設け、該窓部を透明な覆い部材で閉塞すると共に、前記枠部材の片側または両側には伸縮性の部材を設けて手首の長さ方向に対して直交する方向に拡張可能としたことを特徴とする手袋。
【請求項３】
前記覆い部材の前記時計の文字盤の外周縁との当接部位には、突出リブを形成し、該時計の文字盤の外周縁が前記突出リブで位置決めされることを特徴とする請求項１または請求項２に記載の記載の手袋。
【請求項４】
前記透明な覆い部材が軟質のプラスチックで形成されていることを特徴とする請求項１乃至請求項３に記載の手袋。
【発明の詳細な説明】
【０００１】
【産業上の利用分野】
本発明は、レジャー用、作業用等の主に野外で使用される柔軟性を有する各種の手袋に関するものであり、より詳細には、オートバイのライダー等が、野外で快適に使用できる手袋に関するものである。
【０００２】
【従来の技術】
従来より、手首部分を覆うことのできる形状の手袋は、オートバイのライダー等に好まれ使用されている。しかし、この種の手袋の場合、腕時計の文字盤が覆い部分で隠れてしまうことから、必要に応じて手袋の縁を少し捲って時刻を確認しており、作業に手間がかかるだけでなく、例えば、オートバイに乗車している場合には、停車状態でも確認自体が大変困難であった。
【０００３】
これに対して、例えば、特許公開平成７年第３００７０９号等では、手袋をはめたままの状態で、容易に腕時計の文字盤を見ることができる手袋として、文字盤部分に窓部を設けた手袋が開示されている。これらの構造は、前記先行技術等以外にも古くから存在し、既に公知である。
【０００４】
しかしながら、上記の先行技術の構造の手袋等は、単に文字盤の仮想的な定位置に窓部を設けただけに過ぎず、実際は、時計が手首上で回ったり、手袋が前後左右にずれることで、文字盤が見えなくなることがあった。とりわけ、上記の先行技術の場合には、手袋の手首に対するフィット感を出すために使用される、面ファスナを設けた帯状片にそのまま窓部が形成されているために、強く手首を締めたい場合には、帯状片が面ファスナ側に引っ張られることから、同時に窓部の位置がずれ込んでしまい、そのため、窓部と共に腕時計の文字盤をずらしたり、場合によっては、一旦手袋を外して腕時計を締め直す等の手間がかかってしまう等の不都合があり、快適感に問題が生じていた。
【０００５】
【発明が解決しようとする課題】
本発明は上記の課題に鑑みて、安定した状態で容易に腕時計の文字盤を見ることができ、且つ、手及び手首にフィット感を出せる使用性に優れた新規な手袋の提供を目的とする。
【０００６】
【課題を解決するための手段】
上記目的を達成するために、本発明の手袋の第１の構成は、柔軟性を有する手袋の甲側における手首の部位に、外周に硬質の枠部材を形成すると共に該枠部材に腕時計の文字盤を露呈させる窓部を設け、該窓部を軟質の凸形状の透明な覆い部材で閉塞したことを特徴とする。
【０００７】
また、第２の構成は、柔軟性を有する手袋の甲側における手首の部位に、外周に硬質の枠部材を形成すると共に該枠部材に腕時計の文字盤を露呈させる窓部を設け、該窓部を透明な覆い部材で閉塞すると共に、前記枠部材の片側または両側には伸縮性の部材を設けて手首の長さ方向に対して直交する方向に拡張可能としたことを特徴とする。
【０００８】
また、第３の構成は、覆い部材の前記時計の文字盤の外周縁との当接部位には、突出リブを形成し、該時計の文字盤の外周縁が前記突出リブで位置決めされることを特徴とする。
【０００９】
また、第４の構成は、前記透明な覆い部材が軟質のプラスチックで形成されていることを特徴とする。
【００１０】
【作用】
上記の各構成によれば、先ず、腕時計の文字盤は、窓部において軟質の凸形状の透明な覆い部材で安定して位置決めされる。特に、突出リブを設けた構成では、時計の文字盤の外周縁がこの突出リブで位置決めされるので、腕時計は、凸形状の透明な覆い部材との相対的な位置関係をずらすことがない。そして、手袋を手首にフィットさせようとして、枠部材に連続して形成される帯状片を引っ張った場合には、枠部材の両側に設けた伸縮性の部材のみが拡張して、文字盤と透明な覆い部材との相対位置に影響を与えることがなく、以って窓部において文字盤が安定して露呈するので、手袋を脱いだり、手袋の縁を捲ったりせずとも、容易に時刻を確認することができる。
【００１１】
【実施例】
本発明を実施例の図面を基に説明する。図１は、本発明の一実施例の手袋の全体図である。図示の例の手袋は、布と皮で縫製した全体的に柔軟性を有する手袋を示している。この手袋１は、オートバイのライダー用に作られたものであり、くるぶし部分に硬質のプロテクタ２を備えると共に、手首の甲を覆う長さを有する形状の手袋である。
【００１２】
図示の如く、手の甲側の略手首の位置には、汎用の腕時計の文字盤が収まる大きさの略円形の窓部４を形成している。この窓部４は、完全な開口であっても、使用する際に取り除けるように裏面側に切り口を設けた布で軽く閉塞させておいても構わない。そして、この窓部４はドーム型で外方向に凸形状とした透明な覆い部材５の外周のフランジを縫製して固定することで閉塞されている。これにより、手首に嵌めた腕時計の文字盤は、窓部４において露呈すると共に透明な覆い部材５を通して観察することが可能である。
【００１３】
前記窓部の詳細な構造は、図２の断面図により明らかである。窓部４は、例えば、手袋の布部分に対して、手の甲側の略手首の位置のみに設けた、例えば、時計の外観形状よりやや全体を大きくさせた形状とした皮等の硬質の枠部材３上に形成されている。そして、この枠部材３上の窓部４を更に、前記の如く、凸形状の透明な覆い部材５で閉塞したものである。
【００１４】
前記覆い部材５は、透明な硬質または軟質のプラスチック、好適には時計の文字盤にフィットするように軟質のプラスチックで形成されていて、周縁のフランジの裏面、つまり身につける時計の文字盤の外周縁との当接部位に環状の突出リブ５ａが形成されている。この突出リブ５ａは、実施例では完全な円形の断面となる環状に形成したが、断続的に複数のリブとして略環状で形成したり、部分的に形成することもできる。
【００１５】
そして、枠部材３の両側には、手首の長さ方向に対して直交する方向に伸縮性の部材５．６を設けて拡張可能としている。この伸縮性の部材５．６は、何れの材質でも構わないが、実施例では、端部の裏面に面ファスナ８を設けた帯状片側に伸縮性の極めて高いゴム製の部材６を設け、手首の裏面側に布地が連続する反対側のやや伸縮性のあるナイロン製等の部材５を設けて構成されている。
【００１６】
本発明は、上記の如く構成されているので、腕時計の文字盤は、ドーム型で外方向に凸形状とした透明な覆い部材５の形状と材質を利して密着感良く配置される。また、その際、文字盤の外周縁との当接部位には環状の突出リブ５ａが存在することから、これがストッパの役割を果たして時計の文字盤がずれる心配がない。
【００１７】
また、前記透明な覆い部材５は、硬質の枠部材３上に設けているので、縫製上の安定感があるだけでなく、この枠部材３の手首との直交方向には伸縮性の部材６．７を設けて拡張可能としているため、例えば、手袋を手にフィットさせるために、端部の裏面に面ファスナ８を設けた帯状片側を引っ張った場合でも、伸縮性の極めて高いゴム製の部材６が大きく拡張し、また、他方の伸縮性の部材７がやや伸縮することで、窓部４、及び透明な覆い部材５と、文字盤との相対関係がずれることなく、安定して位置決めされる。
【００１８】
【発明の効果】
本発明は上記の如く構成したので、手袋を手首にフィットさせる機能性を損なうことなく、手袋を手にはめたまま、腕時計の文字盤を窓部から観察することができる有意義な発明である。
【図面の簡単な説明】
【図１】手袋の全体図である。
【図２】要部拡大断面図である。
【符号の説明】
１　手袋
２　プロテクタ
３　枠部材
４　窓部
５ａ　突出リブ
５　透明な覆い部材
６　伸縮性の部材
７　伸縮性の部材
８　面ファスナ
【図１】
2004044053.tif 000003
【図２】
2004044053.tif 000004